(57)【要約】【課題】操作、使用に便利で、融通性を持って各式のスピーカに取り替えることができ、取付けに便利になっているＵＳＢコネクタケーブルの構造を提供する。【解決手段】  ＵＳＢコネクタ４１と、送信ケーブル４２とからなり、前記ＵＳＢコネクタ４１内には、音声モジュール４１１が設置されており、前記ＵＳＢコネクタ４１の一側には送信部４１２が設けられている。前記送信ケーブル４２の一端は、前記ＵＳＢコネクタ４１と電気的に接続されており、送信ケーブル４２の他の一端は出力プラグ４３と電気的に接合されている。上記構造により、ＵＳＢコネクタ４１と、出力プラグ４３とが送信ケーブル４２によって延伸され、電気的に接続され、操作、使用に便利で、融通性を持って各式のスピーカ６０に取り替えることができ、取付けに便利になっている。【選択図】  図４ 
0003109207.tif 000002
【実用新案登録請求の範囲】
【請求項１】
ＵＳＢコネクタと、送信ケーブルとからなり、
前記ＵＳＢコネクタ内には、音声モジュールが設置されており、前記ＵＳＢコネクタの一側には送信部が設けられており、
前記送信ケーブルの一端は、前記ＵＳＢコネクタと電気的に接続されており、送信ケーブルの他の一端は出力プラグと電気的に接続されており、
上記構造により、ＵＳＢコネクタと出力プラグは、送信ケーブルによって延伸され、電気的に接続され、操作、使用に便利になっていることを特徴とするＵＳＢコネクタケーブルの構造。
【請求項２】
前記音声モジュールは、サウンドカードであることを特徴とする請求項１記載のＵＳＢコネクタケーブルの構造。
【請求項３】
前記出力プラグ内には、二つの送信プラグが設けられており、前記出力プラグ上には制御ボタンが設けられており、制御に便利になっていることを特徴とする請求項１記載のＵＳＢコネクタケーブルの構造。
【請求項４】
ＵＳＢコネクタと、送信ケーブルセットとからなり、
前記ＵＳＢコネクタ内には、音声モジュールが設置されており、前記ＵＳＢコネクタの一側には送信部が設けられており、
前記送信ケーブルセットには、ケーブル巻取り装置と、送信ケーブルが設けられており、前記送信ケーブルは前記ケーブル巻取り装置内に巻設されており、前記送信ケーブルの一端は前記ＵＳＢコネクタと電気的に接続されており、送信ケーブルの他の一端は出力プラグと電気的に接続されており、
上記構造により、ＵＳＢコネクタと出力プラグは、送信ケーブルによって延伸され、電気的に接続され、操作、使用に便利になっていることを特徴とするＵＳＢコネクタケーブルの構造。
【請求項５】
前記音声モジュールは、サウンドカードであることを特徴とする請求項４記載のＵＳＢコネクタケーブルの構造。
【請求項６】
前記出力プラグ内には、二つの送信プラグが設けられており、前記出力プラグ上には制御ボタンが設けられており、制御に便利になっていることを特徴とする請求項４記載のＵＳＢコネクタケーブルの構造。
【考案の詳細な説明】
【技術分野】
【０００１】
本考案はＵＳＢコネクタケーブルの構造に関し、特に、音声モジュールを内設するＵＳＢコネクタケーブルと、出力プラグとの間を送信ケーブルによって延伸し、電気的に接続する設計により、操作、使用に便利で、融通性を持って各式のスピーカに取り替えることができ、取付けに便利であり、各種の設置部（デスクトップコンピュータ本体、ノートパソコン、ＰＤＡ等）と、スピーカ、或いはその他の周辺機器との接続、或いは類似する製品に適用するＵＳＢコネクタケーブルの構造に関わる。
【背景技術】
【０００２】
公知構造の設置部（例えばデスクトップコンピュータ本体）１０とスピーカ１１とを接続する時（図１を参照）、設置部１０内にすでに駆動プログラムがインストールされたサウンドカード１２を設置し、前記スピーカ１１から延伸された端子プラグ１３と、設置部１０のサウンドカード１２の対応する端子１４とを電気的に接続し、それにより音声信号はスピーカ１１に送信されるが、前記スピーカ１１は電源ケーブル１５によって外部からスピーカ１１に電源を供給する必要がある。
【０００３】
電源ケーブル１５を使用してスピーカ１１に電源を供給する不便さを改善するために、新たな技術が考案された（図２を参照）。本技術においては、スピーカ２０から延伸されているケーブル２１の端部を直接サウンドカードが内設されているＵＳＢコネクタ２２と電気的に接続し、設置部と電気的に接続するものであり、これによってスピーカに電源ケーブルを設ける不便さは解決できたが、全体の構造が一体構造となっているために、単独での使用ができず、仮に一部分が破損した場合、装置全体が使用不可能になってしまう。
【０００４】
もう一つの公知技術（図３を参照）においては、サウンドカードを内設するＵＳＢコネクタ３０と、出力プラグ３１とが一体に製造されており、設置部（ノートパソコン等）３２の一側に設置されており、出力プラグ３１にスピーカ３３から延伸されている端子プラグ３４を外接することができ、スピーカ３３に電源を供給し、スピーカ３３作動させることができるが、サウンドカードが内設されているＵＳＢコネクタ３０と出力プラグ３１が一体に製造されているので、全体の長さ、体積が大きくなりすぎるという欠点が存在し、設置部３２を移動させる時、一体に製造されているＵＳＢコネクタ３０と出力プラグ３１が破損しやすく、実際に使用する上で、使用者の需要を満たすことができない。
【考案の開示】
【考案が解決しようとする課題】
【０００５】
本考案の主な目的は、ＵＳＢコネクタと、出力プラグとの間を送信ケーブルによって電気的に接続することによって、公知構造のＵＳＢコネクタと、出力プラグとを一体に製造することによって全体の長さが長すぎるために容易に破損したり、体積が大きすぎるために設置空間が制限を受けたりする欠点を解決することができ、設置部を移動させる時でも破損しにくく、設置部に設置する空間にも更に融通性を持たせることができ、操作上の利便性、実用性を高めることができるＵＳＢコネクタケーブルの構造を提供することである。
【０００６】
本考案の次の目的は、ＵＳＢコネクタを設置することによって、スピーカに別途電源を接続する必要がないＵＳＢコネクタケーブルの構造を提供することである。
【０００７】
本考案のもう一つの目的は、出力端子と、スピーカから延伸されている端子プラグとを電気的に接続する設計にすることによって、旧型のスピーカを取り替えて淘汰する必要がなく、任意に各式のスピーカを設置して使用することができるＵＳＢコネクタケーブルの構造を提供することである。
【０００８】
本考案のさらにもう一つの目的は、ＵＳＢコネクタと、出力プラグとの間が送信ケーブルによって電気的に接続され、ＵＳＢコネクタの送信部と、設置部（デスクトップコンピュータ本体、ノートパソコン、ＰＤＡ等）とが電気的に接続され、出力プラグがスピーカから延伸されている端子プラグと電気的に接続されることによって、使用者が操作時に容易に設置部とスピーカの位置を調整することができるＵＳＢコネクタケーブルの構造を提供することである。
【課題を解決するための手段】
【０００９】
上記課題を解決するために、
請求項１の考案は、ＵＳＢコネクタと、送信ケーブルとからなり、
前記ＵＳＢコネクタ内には、音声モジュールが設置されており、前記ＵＳＢコネクタの一側には送信部が設けられており、
前記送信ケーブルの一端は、前記ＵＳＢコネクタと電気的に接続されており、送信ケーブルの他の一端は出力プラグと電気的に接続されており、
上記構造により、ＵＳＢコネクタと出力プラグは、送信ケーブルによって延伸され、電気的に接続され、操作、使用に便利になっていることを特徴とするＵＳＢコネクタケーブルの構造である。
【００１０】
請求項２の考案は、前記音声モジュールは、サウンドカードであることを特徴とする請求項１記載のＵＳＢコネクタケーブルの構造である。
【００１１】
請求項３の考案は、前記出力プラグ内には、二つの送信プラグが設けられており、前記出力プラグ上には制御ボタンが設けられており、制御に便利になっていることを特徴とする請求項１記載のＵＳＢコネクタケーブルの構造である。
【００１２】
請求項４の考案は、ＵＳＢコネクタと、送信ケーブルセットとからなり、
前記ＵＳＢコネクタ内には、音声モジュールが設置されており、前記ＵＳＢコネクタの一側には送信部が設けられており、
前記送信ケーブルセットには、ケーブル巻取り装置と、送信ケーブルが設けられており、前記送信ケーブルは前記ケーブル巻取り装置内に巻設されており、前記送信ケーブルの一端は前記ＵＳＢコネクタと電気的に接続されており、送信ケーブルの他の一端は出力プラグと電気的に接続されており、
上記構造により、ＵＳＢコネクタと出力プラグは、送信ケーブルによって延伸され、電気的に接続され、操作、使用に便利になっていることを特徴とするＵＳＢコネクタケーブルの構造である。
【００１３】
請求項５の考案は、前記音声モジュールは、サウンドカードであることを特徴とする請求項４記載のＵＳＢコネクタケーブルの構造である。
【００１４】
請求項６の考案は、前記出力プラグ内には、二つの送信プラグが設けられており、前記出力プラグ上には制御ボタンが設けられており、制御に便利になっていることを特徴とする請求項４記載のＵＳＢコネクタケーブルの構造である。
【考案の効果】
【００１５】
本考案のＵＳＢコネクタと、出力プラグとが送信ケーブルによって延伸され、電気的に接続されるという構造により、操作、使用に便利で、融通性を持って各式のスピーカに取り替えることができ、取付けに便利になっているＵＳＢコネクタケーブルを提供できた。
【考案を実施するための最良の形態】
【００１６】
図４に示すように、本考案はＵＳＢコネクタケーブルの構造であり、前記ＵＳＢコネクタケーブル４０は、ＵＳＢコネクタ４１と、送信ケーブル４２とからなり、前記ＵＳＢコネクタ４１内には、音声モジュール４１１（前記音声モジュール４１１はサウンドカードである。）が設置されており、前記ＵＳＢコネクタ４１の一側には送信部４１２が設けられている。前記送信ケーブル４２の一端は、前記ＵＳＢコネクタ４１と電気的に接続されており、送信ケーブル４２の他の一端は出力プラグ４３と電気的に接続されている。
【００１７】
図４、５に示すように、上記構造により、本考案の特徴は、ＵＳＢコネクタ４１と、出力プラグ４３とが送信ケーブル４２によって延伸され、電気的に接続され、前記ＵＳＢコネクタ４１の送信部４１２は設置部（デスクトップコンピュータ本体、ノートパソコン、ＰＤＡ等）５０と電気的に接続され、出力プラグ４３はスピーカ６０から延伸されている端子プラグ６１と電気的に接続され、それによって使用者が操作時に容易に設置部５０とスピーカ６０の位置を調整することができ、ＵＳＢコネクタ４１と、出力プラグ４３との間を送信ケーブル４２によって電気的に接続することによって、公知構造のＵＳＢコネクタ４１と、出力プラグ４３とを一体に製造することによって全体の長さが長すぎるために容易に破損したり、体積が大きすぎるために設置空間が制限を受けたりする欠点を解決することができ、設置部５０を移動させる時でも破損しにくく、設置部５０に設置する空間にも更に融通性を持たせることができ、ＵＳＢコネクタ４１を設置することにより、スピーカ６０に別途電源を接続する必要がなく、出力端子４３と、スピーカ６０から延伸されている端子プラグ６１とを電気的に接続する設計にすることによって、旧型のスピーカを取り替えて淘汰する必要がなく、任意に各式のスピーカ６０を設置して使用することができ、大幅に全体の使用上の利便性と実用性を高め、本考案に操作上の利便性、各式のスピーカに取り替えることができるという融通性、設置する上での利便性等の効果を与え、実用性と利便性を高めることができる。
【００１８】
図６に示すように、使用時、前記ＵＳＢコネクタケーブル４１上に送信ケーブル４２を設置することができ、前記送信ケーブル４２の一端は出力プラグ４４と電気的に接続されており、前記出力プラグ４４内には二つの送信プラグ（或いは複数の送信プラグ４４１）４４１が設けられており、同時に複数のスピーカ６０、或いはその他の周辺機器を接続することができ、前記出力プラグ４４上には制御ボタン４４２が設けられており、音量、録音機能等を制御することができ、全体の実用性と利便性をさらに高めることができる。
【００１９】
図７に示すように、使用時、前述の送信ケーブル４２に送信ケーブルセット７０を採用することができ、前記送信ケーブルセット７０はケーブル巻取り装置７１と、送信ケーブル４２とからなり、前記送信ケーブル４２は前記ケーブル巻取り装置７１内に巻設されており、前記送信ケーブル４２の一端は前記ＵＳＢコネクタ４１と電気的に接続されており、送信ケーブル４２の他の一端は出力プラグ４３（或いは前述の出力プラグ４４）と電気的に接続されており、送信ケーブル４２を前記ケーブル巻取り装置７１によって伸縮させることができ、必要な長さを提供したり、適当な収納を行ったりすることができる。
【００２０】
以上の詳細な説明より、この種の技術を熟知するものに確実に達成できる前述の目的を明らかにさせることができる。
【００２１】
上述の内容は、本考案の好適な実施形態を示したものであり、本考案の範囲を限定するものではなく、故に、本考案の請求する範囲と本考案の明細書の内容の簡単な同等の変化や修飾は全て本考案の範囲に含まれる。
【図面の簡単な説明】
【００２２】
【図１】公知構造による第一の実施形態の使用する様子を示す図である。
【図２】公知構造による第二の実施形態の斜視図である。
【図３】公知構造による第三の実施形態の使用する様子を示す図である。
【図４】本考案による第一の実施形態の斜視図である。
【図５】本考案による第一の実施形態の使用する様子を示す図である。
【図６】本考案による第二の実施形態の斜視図である。
【図７】本考案による第三の実施形態の斜視図である。
【符号の説明】
【００２３】
１０      設置部
１１      スピーカ
１２      サウンドカード
１３      端子プラグ
１４      端子
１５      電源ケーブル
２０      スピーカ
２１      ケーブル
２２      ＵＳＢコネクタ
３０      ＵＳＢコネクタ
３１      出力プラグ
３２      設置部
３３      スピーカ
３４      端子プラグ
４０      ＵＳＢコネクタケーブル
４１      ＵＳＢコネクタケーブル
４１１    音声モジュール
４１２    送信部
４２      送信ケーブル
４３      出力プラグ
４４      出力プラグ
４４１    送信プラグ
４４２    制御ボタン
５０      設置部
６０      スピーカ
６１      端子プラグ
７０      送信ケーブルセット
７１      ケーブル巻取り装置
【図１】
0003109207.tif 000003
【図２】
0003109207.tif 000004
【図３】
0003109207.tif 000005
【図４】
0003109207.tif 000006
【図５】
0003109207.tif 000007
【図６】
0003109207.tif 000008
【図７】
0003109207.tif 000009